(57)【特許請求の範囲】
【請求項１】
一端面から他端面に抜ける通気路を縦横に並設して成る換気部材であって、前記換気部材は内部空間を有し、前記内部空間を画する通気面が凹凸状態にされていることを特徴とする換気部材。
【請求項２】
前記通気路を並設したプラスチックプレートを積層して構成される請求項１に記載の換気部材。
【請求項３】
前記内部空間は、中間層の前記プラスチックプレートを空気の流れ方向に二分して間隔を置いて配置することにより形成される請求項２に記載の換気部材。
【請求項４】
前記内部空間は、適宜サイズの角孔を穿設した前記プラスチックプレートを積層することにより形成される請求項２に記載の換気部材。
【請求項５】
前記内部空間は、積層した前記プラスチックプレートを型抜きすることにより形成される請求項２に記載の換気部材。
【請求項６】
中間層を構成する前記プラスチックプレートの一端面から前記内部空間を画する通気面までの長さが、前記中間層を構成するプラスチックプレート間において不均一にされることにより、前記内部空間を画する通気面に凹凸状態が形成される請求項２乃至５のいずれかに記載の換気部材。
【請求項７】
前記通気路の一端開口面から前記内部空間開口面までの長さが、前記各プラスチックプレートにおける前記通気路間において不均一にされることにより、前記内部空間を画する通気面に凹凸状態が形成される請求項２乃至６のいずれかに記載の換気部材。
【請求項８】
前記内部空間を画する通気面の凹凸状態は、前記角孔の空気の流れ方向の長さが前記中間層を構成するプラスチックプレート間において不均一にされることにより形成される請求項４に記載の換気部材。
【請求項９】
前記内部空間を画する通気面の凹凸状態は、上流側又は下流側の少なくとも一方の面に形成される請求項１乃至８のいずれかに記載の換気部材。
【請求項１０】
前記内部空間内にフィルターを配設した請求項１乃至９のいずれかに記載の換気部材。
【発明の詳細な説明】
【技術分野】
【０００１】
本発明は、換気部材、より詳細には、家屋の屋根面の棟部に跨がるように設置されることにより小屋裏の換気を行なう棟換気部材として、あるいは、軒下に設置されて軒下の吸排気を行なう軒下吸排気部材等として用いられる換気部材に関するものである。
【背景技術】
【０００２】
上記換気部材としては、例えば特許第２６１０３４２号公報に記載のものが知られている。それは、棟方向に開口する多数の通気路２２を設けた２枚の板状換気部材２１（図４）を２枚、逆Ｖ字形を呈するように連結したものである。
【０００３】
この構成の場合、強風雨時等に雨雪が通気路を通って屋根裏に滴下することを防止するためには、各換気部材の長さをかなり長尺なものとする必要があるが、通気路が長くなればなるだけ通気抵抗が増し、通気量の低下を招く。また、材料コストがかかり、重量が増すために施工時及び運搬時に取り扱いにくくなり、また、その長さ分設置スペースも多く必要となるという問題もある。
【０００４】
そこで、さ程サイズを大きくすることなく、通気部材３１の中間部に棒状空間３２を設けて通気路の連続性をなくし、以て雨水等の進入を防止するという提案がなされている（図５、特許第３２７７２３２号公報）。
【０００５】
しかるに、この通気部材３１の棒状空間３２を画する通気面は平面的であって、雨雪は、各通気路からほぼ同一条件にて棒状空間３２内に流れ込む。そのため、棒状空間３２があっても、風雨はその流れに大きな乱れを生ずることなく、反対側の通気面に進入していく。従って、この通気部材３１の場合に十分な止水能力を発揮させるためには、棒状空間３２を長くし、あるいは、複数設ける必要があり、その結果、通気部材３１は長尺とならざるを得なくなる。
【０００６】
【特許文献１】特許第２６１０３４２号公報
【特許文献２】特許第２６８３１０９号公報
【特許文献３】特許第３２７７２３２号公報
【発明の開示】
【発明が解決しようとする課題】
【０００７】
従来の換気部材には上述したような問題があったので、本発明はそのような問題のない、即ち、十分な通気性能を有しており、コスト的に有利で、設置スペースが少なくて済み、しかも、効率よく雨雪、塵埃、花粉等の室内側への進入を阻止し得る換気部材を提供することを課題とする。
【課題を解決するための手段】
【０００８】
上記課題を解決するための請求項１に記載の発明は、一端面から他端面に抜ける通気路を縦横に並設して成る換気部材であって、前記換気部材は内部空間を有し、前記内部空間を画する通気面が凹凸状態にされていることを特徴とする。
【０００９】
好ましくは、前記換気部材は、前記通気路を並設したプラスチックプレートを積層して構成される。そして、前記内部空間は、中間層の前記プラスチックプレートを二分して間隔を置いて配置することにより形成され、あるいは、前記内部空間は、適宜サイズの角孔を穿設した前記プラスチックプレートを積層することにより形成され、あるいは、前記内部空間は、積層した前記プラスチックプレートを型抜きすることにより形成される。
【００１０】
前記内部空間を画する通気面の凹凸状態は、中間層を構成する前記プラスチックプレートの一端面から前記内部空間を画する通気面までの長さが、前記中間層を構成するプラスチックプレート間において不均一にされることにより、あるいは、前記通気路の一端開口面から前記内部空間開口面までの長さが、前記各プラスチックプレートにおける前記通気路間において不均一にされることにより、あるいは、前記角孔の空気の流れ方向の長さが前記中間層を構成するプラスチックプレート間において不均一にされることにより形成される。
【００１１】
前記空間を画する通気面の凹凸状態は、上流側又は下流側の少なくとも一方の面に形成され、好ましくは雨雪並びに塵埃、花粉等の進入防止効果をより高めるために、前記内部空間内にフィルターが配設される。
【発明の効果】
【００１２】
本発明は上記構成であって、十分な通気性能を有しており、コスト的に有利で、設置スペースが少なくて済み、しかも、効率よく雨雪、塵埃、花粉等の室内側への進入を阻止し得る効果がある。
【発明を実施するための最良の形態】
【００１３】
本発明の好ましい実施の形態を、添付図面に依拠して説明する。図１に示すものは、本発明に係る換気部材１を２つ結合して、棟換気部材としたものである（使用時には山形にされる。）。換気部材１は、一端面から他端面に抜ける通気路２を縦横に並設して成り、その中間部に内部空間６を設け、内部空間６に面する通気面の各通気路２を内部空間６内に不揃いに突出させることを特徴とする。
【００１４】
通例換気部材１は、通気路２を並設したプラスチックプレート３〜５を多数枚重ね、ヒートカッターで所定サイズにカットすることにより製造されるが（特許第２６８３１０９号公報参照）、その場合、例えば最上段と最下段のプラスチックプレート３、４は一端から他端まで一連のものとするが、中間層プラスチックプレート５は、上流側と下流側に二分されたものとする。そして中間層プラスチックプレート５は、その積層時に、一端側の中間層プラスチックプレート５と他端側の対向する中間層プラスチックプレート５との間に適宜間隔を置くようにする。その間隔は、各段で不均一にする。
【００１５】
なお、上下のプラスチックプレート３、４は、その通気路２が中間層プラスチックプレート５の通気路２と直交状態となるように配置することができる。
【００１６】
このようにしてプラスチックプレート３〜５を適宜数積層した後、両端面を、ヒートカッターを用いて垂直又は斜めにカットする（図示した例は後者で、台形に成形している。）。このカッティング時にカット端面Ａ、Ｂは溶融し、上下のプラスチックプレート３〜５同士が溶着され、全体が一体化されて換気部材１が形成される。あるいは、中間層プラスチックプレート５のみ先に一体化し、その後上下面のプラスチックプレート３、４を接着してもよい（以下の実施形態においても同じ）。
【００１７】
このようにして製造された換気部材１には、中間層プラスチックプレート５が分離され、且つ、間隔を置いて配置されるために、中間部に内部空間６が形成されることになる。強風時にこの内部空間６には、上流側の端面Ａの各通気路２から流入した空気が時間差を以て不規則に流れ込むことにより、乱流が発生する。即ち、中間層プラスチックプレート５の内部空間６内開口端５ａ、５ｂには段差ができるために、中間層プラスチックプレート５の各段を直進してきた空気が、内部空間６内に流出するタイミングにずれを生じ、空気の流れに乱れを生ずる。その結果、空気と共に流入してきた雨雪、塵埃等が、整然と直進して、後半部の中間層プラスチックプレート５の通気路２にストレートに流入することが防止される。
【００１８】
上記実施形態のように、内部空間６において、積層される中間層プラスチックプレート５間に段差を形成するための方法としては、他に、各中間層プラスチックプレート５に同一又はほぼ同一サイズの角孔７を、長さ方向に互いに少し宛ずらして穿設することが考えられる（図２）。この場合、中間層を構成する各プラスチックプレート間において角孔７の穿設位置がずれているため、積層した際に、図１に示すような段差ができる。
【００１９】
上記２つの実施形態においては、各中間層プラスチックプレート５の内部空間６内開口端５ａ、５ｂは横一線となっていて、図１に示す側方視において、各中間層プラスチックプレート５の内部空間６内開口端５ａ、５ｂに凹凸（段差）が生じている。
【００２０】
これに代えて、中間層を構成する各プラスチックプレート５における各通気路２の長さ、即ち、各通気路２の一端開口面から内部空間６への開口面までの長さを不均一にし、上方視において、中間層プラスチックプレート５の内部空間６内開口端に凹凸５ｃ、５ｄが生ずるようにしてもよい（図３）。このような構成にするには、中間層プラスチックプレート５を所定数積層した後（通例その際に一体化する）、上方から凹凸状態が形成されるように打抜いて内部空間６を設ける方法を採用すればよい。
【００２１】
上記いずれの実施形態においても、好ましくは内部空間６の中程にフィルター８を配置する。フィルター８は、通気性を阻害することなく、雨雪、塵埃、花粉等を捕捉し得るものであれば、樹脂製、繊維製、金属製等を問わない。
【００２２】
上記いずれの実施形態においても、強風に伴って換気部材１の一方の面の通気路２に進入した雨雪、塵埃、花粉等は、不規則に内部空間６内に流入して乱れを生じ、更に、フィルター８に捕捉されることにより、それ以上の進入を阻止される。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明に係る換気部材の一実施形態を示す縦断面図である。
【図２】本発明に係る換気部材の他の実施形態を示す横断面図である。
【図３】本発明に係る換気部材の更に他の実施形態を示す横断面図である。
【図４】従来の換気部材の構成例を示す斜視図である。
【図５】従来の換気部材の他の構成例を示す分解斜視図である。
【符号の説明】
【００２５】
１    換気部材
２    通気路
３    プラスチックプレート
４    プラスチックプレート
５    中間層プラスチックプレート
６    内部空間
７    角孔
８    フィルター
【図１】
0004411259.tif 000002
【図２】
0004411259.tif 000003
【図３】
0004411259.tif 000004
【図４】
0004411259.tif 000005
【図５】
0004411259.tif 000006